(57)【要約】【課題】ハードウェア回路によってオン／オフを実現するスイッチ回路及びそれを備えた電子デバイスを提供する。【解決手段】本発明に係るスイッチ回路は、前記電源に接続される制御ユニットと、前記電源と前記制御ユニットとの間に接続されるキースイッチユニットと、を備える。ユーザーの操作に応じてキースイッチユニットをオンにして電源と制御ユニットとの接続をオンにした場合、前記制御ユニットは、前記電源からの供給電圧を受けてエネルギーを蓄積することによって第一制御信号を生成し、前記第一制御信号は、前記電源をオンにし、前記電源は、負荷に電力を供給する。ユーザーの操作に応じてキースイッチユニットをオンにして電源と制御ユニットとの接続をオフにした場合、前記制御ユニットは、エネルギーを放出することによって第二制御信号を生成し、前記第二制御信号は、前記電源をオフにし、前記電源は、負荷に電力を供給することを停止する。【選択図】図１
2013225305.tif 000002
【特許請求の範囲】
【請求項１】
電源のオン／オフを制御するためのスイッチ回路において、
前記電源に接続される制御ユニットと、
前記電源と前記制御ユニットとの間に接続されるキースイッチユニットと、を備え、
ユーザーの操作に応じてキースイッチユニットをオンにして電源と制御ユニットとの接続をオンにした場合、前記制御ユニットは、前記電源からの供給電圧を受けてエネルギーを蓄積することによって第一制御信号を生成し、
前記第一制御信号は、前記電源をオンにし、
前記電源は、負荷に電力を供給し、
ユーザーの操作に応じてキースイッチユニットをオンにして電源と制御ユニットとの接続をオフにした場合、前記制御ユニットは、エネルギーを放出することによって第二制御信号を生成し、
前記第二制御信号は、前記電源をオフにし、
前記電源は、負荷に電力を供給することを停止することを特徴とするスイッチ回路。
【請求項２】
前記制御ユニットは、コンデンサ、第一分割抵抗及び第二分割抵抗を備え、
コンデンサのアノードは、第一分割抵抗及び第二分割抵抗を介して接地され、
コンデンサのカソードは、接地され、コンデンサのアノードは、キースイッチユニットにさらに接続され、
電源は、第一分割抵抗と第二分割抵抗との間に接続され、
コンデンサの容量は、調整可能であり、
第一分割抵抗の抵抗値及び第二分割抵抗の抵抗値は、それぞれ調整可能であることを特徴とする請求項１に記載のスイッチ回路。
【請求項３】
前記スイッチ回路は、電圧安定化ユニットをさらに備え、
前記電圧安定化ユニットは、キースイッチユニットと制御ユニットとの間に接続され、
ユーザーの操作に応じてキースイッチユニットをオンにして電源と制御ユニットとの接続をオンにした場合、前記電圧安定化ユニットは、前記供給電圧を安定化した電圧に転換し、且つ安定化した電圧を制御ユニットに提供することを特徴とする請求項１又は２に記載のスイッチ回路。
【請求項４】
前記電圧安定化ユニットは、制限抵抗、コンデンサ、ダイオード及びツェナーダイオードを備え、
制限抵抗の一端は、キースイッチユニットに接続され、
制限抵抗の他端は、ダイオードのアノードに接続され、
コンデンサの一端は、制限抵抗とダイオードのアノードとの間に接続され、
コンデンサの他端は、接地され、
ダイオードのカソードは、ツェナーダイオードのカソードに接続され、
ツェナーダイオードのアノードは、接地され、
ツェナーダイオードのカソードは、キースイッチユニットと制御ユニットとの間に接続されることを特徴とする請求項３に記載のスイッチ回路。
【請求項５】
電源、負荷及び電源のオン／オフを制御するためのスイッチ回路を備える電子デバイスにおいて、
前記スイッチ回路は、前記電源に接続される制御ユニットと、
前記電源と前記制御ユニットとの間に接続されるキースイッチユニットと、を備え、
ユーザーの操作に応じてキースイッチユニットをオンにして電源と制御ユニットとの接続をオンにした場合、前記制御ユニットは、前記電源からの供給電圧を受けてエネルギーを蓄積することによって第一制御信号を生成し、
前記第一制御信号は、前記電源をオンにし、
前記電源は、負荷に電力を供給し、
ユーザーの操作に応じてキースイッチユニットをオンにして電源と制御ユニットとの接続をオフにした場合、前記制御ユニットは、エネルギーを放出することによって第二制御信号を生成し、
前記第二制御信号は、前記電源をオフにし、
前記電源は、負荷に対して電力の供給を停止することを特徴とする電子デバイス。
【発明の詳細な説明】
【技術分野】
【０００１】
本発明は、スイッチ回路及びそれを備えた電子デバイスに関するものである。
【背景技術】
【０００２】
ノートパソコン、携帯電話及びポータブルＣＤプレーヤーなどの電子デバイスは、一般的に、スイッチ回路、電源及び負荷を備える。従来のスイッチ回路は、電子デバイスの電源のオン／オフを制御するために用いられ、キースイッチ及び制御チップを備え、キースイッチは、ブート信号及びシャットダウン信号を生成するために用いられる。また、制御チップは、電源に接続され、且つブート信号に基づいて、ブート制御信号を生成して、電源をオンにする。この時、電源は負荷に電力を供給する。さらに、この制御チップは、シャットダウン信号に基づいて、シャットダウン制御信号を生成して、電源をオフにする。この時、電源は負荷に電力を供給することを停止する。
【０００３】
しかし、上記のスイッチ回路は、制御チップの中のソフトウェアによってオン／オフを実現するため、制御チップの中のソフトウェアが静電気などによって誤動作した場合、制御チップは、ブート信号に基づいてブート制御信号を生成したり、シャットダウン信号に基づいてシャットダウン制御信号を生成したりすることができない。従って、電子デバイスは、正常にオン／オフできない。
【発明の概要】
【発明が解決しようとする課題】
【０００４】
前記課題を解決するために、本発明は、ハードウェア回路によって、オン／オフを実現するスイッチ回路及びそれを備えた電子デバイスを提供する。
【課題を解決するための手段】
【０００５】
本発明に係るスイッチ回路は、電源のオン／オフを制御するために用いられ、前記電源に接続される制御ユニットと、前記電源と前記制御ユニットとの間に接続されるキースイッチユニットと、を備える。ユーザーの操作に応じてキースイッチユニットをオンにして電源と制御ユニットとの接続をオンにした場合、前記制御ユニットは、前記電源からの供給電圧を受けてエネルギーを蓄積することによって第一制御信号を生成し、前記第一制御信号は、前記電源をオンにし、前記電源は、負荷に電力を供給する。ユーザーの操作に応じてキースイッチユニットをオンにして電源と制御ユニットとの接続をオフにした場合、前記制御ユニットは、エネルギーを放出することによって第二制御信号を生成し、前記第二制御信号は、前記電源をオフにし、前記電源は、負荷に電力を供給することを停止する。
【０００６】
本発明に係る電子デバイスは、電源、負荷及び電源のオン／オフを制御するためのスイッチ回路を備える。前記スイッチ回路は、前記電源に接続される制御ユニットと、前記電源と前記制御ユニットとの間に接続されるキースイッチユニットと、を備え、ユーザーの操作に応じてキースイッチユニットをオンにして電源と制御ユニットとの接続をオンにした場合、前記制御ユニットは、前記電源からの供給電圧を受けてエネルギーを蓄積することによって第一制御信号を生成し、前記第一制御信号は、前記電源をオンにし、前記電源は、負荷に電力を供給し、ユーザーの操作に応じてキースイッチユニットをオンにして電源と制御ユニットとの接続をオフにした場合、前記制御ユニットは、エネルギーを放出することによって第二制御信号を生成し、前記第二制御信号は、前記電源をオフにし、前記電源は、負荷に電力を供給することを停止する。
【発明の効果】
【０００７】
従来の技術と比べ、本発明に係るスイッチ回路及び電子デバイスにおいて、キースイッチユニットがオンになる場合、制御ユニットは、電気エネルギーを蓄積することによって第一制御信号を生成し、第一制御信号は、電源をオンにする。従って、電子デバイスのオンを実現する。キースイッチユニットがオフになる場合、制御ユニットは、電気エネルギーを放出することによって第二制御信号を生成し、第二制御信号は、電源をオフにする。従って、電子デバイスのオフを実現する。本発明のスイッチ回路は、ハードウェア回路によって電子デバイスのオン／オフを実現するため、電子デバイスは、従来技術のソフトウェアの誤動作によって正常にオン／オフすることができない問題を防止することができる。
【図面の簡単な説明】
【０００８】
【図１】本発明の実施形態に係る電子デバイスのブロック図である。
【図２】本発明の実施形態に係る電子デバイスの回路図である。
【発明を実施するための形態】
【０００９】
以下、図面を参照して、本発明の実施形態について説明する。
【００１０】
図１を参照すると、本発明の実施形態に係る電子デバイス９００は、スイッチ回路１００、電源２００及び負荷３００を備える。前記スイッチ回路１００は、電源２００のオン／オフを制御するために用いられる。電源２００がオンになると、電源２００は、負荷３００に電力を供給し、電子デバイス９００は、オンになる。電源２００がオフになると、電源２００は、負荷３００に電力を供給することを停止し、電子デバイス９００は、オフになる。本実施形態における前記電子デバイス９００としては、ポータブルＣＤプレーヤーがある。
【００１１】
スイッチ回路１００は、フィルタリングユニット１０、キースイッチユニット２０、電圧安定化ユニット３０及び制御ユニット４０を備える。フィルタリングユニット１０は、電源２００とキースイッチユニット２０との間に接続され、電源２００によって提供される供給電圧をフィルタリングし、且つこのフィルタリングした後の供給電圧をキースイッチユニット２０に提供する。キースイッチユニット２０は、ユーザーの操作に応じて、フィルタリングユニット１０と電圧安定化ユニット３０との接続をオン／オフするために用いられる。
【００１２】
ユーザーがキースイッチユニット２０をオンにした時、フィルタリングユニット１０と電圧安定化ユニット３０とを導通させ、電圧安定化ユニット３０は、フィルタリングした後の供給電圧を、安定化した電圧に転換し、且つこの安定化した電圧を制御ユニット４０に提供する。制御ユニット４０は、前記安定化した電圧によって充電して電気エネルギーを蓄積し、且つ第一制御信号を生成する。該第一制御信号は、電源２００をオンにするため、電源２００は、負荷３００に電力を供給することができる。従って、電子デバイス９００は、正常なオンを実現する。
【００１３】
ユーザーがキースイッチユニット２０をオフにした時、フィルタリングユニット１０と電圧安定化ユニット３０との導通を解除し、電圧安定化ユニット３０は、制御ユニット４０に安定化した電圧を提供することを停止する。これにより、制御ユニット４０は、電気エネルギーを放出し、且つ第二制御信号を生成する。第二制御信号は、電源２００をオフにするため、電源２００は、負荷３００に電力を供給することを停止し、電子デバイス９００は、正常なオフを実現する。
【００１４】
他の実施形態において、前記スイッチ回路１００は、電圧安定化ユニット３０を備えなくても良い。
【００１５】
本発明に係るスイッチ回路１００において、キースイッチユニット２０がオンになる場合、制御ユニット４０は、電気エネルギーを蓄積することによって第一制御信号を生成し、この第一制御信号は、電源２００をオンにする。これにより、電子デバイス９００の正常なオンを実現する。キースイッチユニット２０がオフになる場合、制御ユニット４０は、電気エネルギーを放出することによって第二制御信号を生成し、この第二制御信号は、電源２００をオフにする。これにより、電子デバイス９００の正常なオフを実現する。本発明のスイッチ回路１００は、ハードウェア回路によって電子デバイス９００のオン／オフを実現するため、電子デバイス９００は、従来技術のソフトウェアの誤動作によって正常にオン／オフすることができない問題を防止することができる。
【００１６】
図２を参照すると、電源２００は、制御端子２０２を備える。フィルタリングユニット１０は、コンデンサＣ１を備える。コンデンサＣ１の一端は、電源２００とキースイッチユニット２０との間に接続され、コンデンサＣ１の他端は、接地される。
【００１７】
キースイッチユニット２０は、第一ピン２２、第二ピン２４及び第三ピン２５を備える。第一ピン２２は、抵抗Ｒ１を介して接地され、第二ピン２４は、コンデンサＣ１の接地されない一端に接続され、第三ピン２５は、電圧安定化ユニット３０に接続される。
【００１８】
電圧安定化ユニット３０は、制限抵抗Ｒ２、コンデンサＣ２、ダイオードＤ１及びツェナーダイオードＤ２を備える。制限抵抗Ｒ２の一端は、キースイッチユニット２０の第三ピン２５に接続され、制限抵抗Ｒ２の他端は、ダイオードＤ１のアノードに接続される。コンデンサＣ２の一端は、制限抵抗Ｒ２とダイオードＤ１のアノードとの間に接続され、コンデンサＣ２の他端は、接地される。ダイオードＤ１のカソードは、ツェナーダイオードＤ２のカソードに接続され、ツェナーダイオードＤ２のアノードは、接地される。ダイオードＤ１のカソードは、制御ユニット４０にさらに接続される。
【００１９】
制御ユニット４０は、コンデンサＣ３、第一分割抵抗Ｒ３及び第二分割抵抗Ｒ４を備える。コンデンサＣ３のアノードは、第一分割抵抗Ｒ３及び第二分割抵抗Ｒ４を介して接地され、コンデンサＣ３のカソードは、接地される。コンデンサＣ３のアノードは、ダイオードＤ１のカソードにさらに接続される。電源２００の制御端子２０２は、第一分割抵抗Ｒ３と第二分割抵抗Ｒ４との間に接続される。本実施形態において、コンデンサＣ３の容量は、調整可能である。他の実施形態において、第一分割抵抗Ｒ３の抵抗値及び第二分割抵抗Ｒ４の抵抗値は、それぞれ調整可能であるか或いは第一分割抵抗Ｒ３の抵抗値のみ、調整可能である或いは第二分割抵抗Ｒ４の抵抗値のみ、調整可能である。
【００２０】
本発明に係るスイッチ回路１００の動作原理を以下に説明する。
【００２１】
ユーザーの操作に応じてキースイッチユニット２０をオンにしてフィルタリングユニット１０と電圧安定化ユニット３０との接続をオンにした場合、キースイッチユニット２０の第二ピン２４及び第三ピン２５は、電気的に接続されるため、コンデンサＣ１によってフィルタリングした後の供給電圧Ｖｃｃは、電圧安定化ユニット３０に提供される。これにより、ツェナーダイオードＤ２は、安定化した電圧を生成する。本実施形態において、安定化した電圧としては、６．２Ｖがある。
【００２２】
ツェナーダイオードＤ２によって生成された電圧は、コンデンサＣ３に充電される。これにより、電源２００の制御端子２０２は、ハイレベルになるため、電源２００は、オンになり、且つ負荷３００に電力を供給して、電子デバイス９００のオンを実現する。
【００２３】
ユーザーの操作に応じてキースイッチユニット２０をオンにしてフィルタリングユニット１０と電圧安定化ユニット３０との接続をオフにした場合、キースイッチユニット２０の第二ピン２４及び第一ピン２２は、電気的に接続されるため、コンデンサＣ３は、第一分割抵抗Ｒ３及び第二分割抵抗Ｒ４によって放電され、放電時間Ｔ（Ｔ＝Ｃ３＊（Ｒ３＋Ｒ４））を経過した後、電源２００の制御端子２０２は、ローレベルになる。これにより、電源２００は、オフになり、且つ負荷３００に電力を供給することを停止し、電子デバイス９００のオフを実現する。コンデンサＣ３の容量或いは第一分割抵抗Ｒ３及び第二分割抵抗Ｒ４の抵抗値を調整することにより、コンデンサＣ３の放電時間を調整することができるため、電子デバイス９００をオフする時間を調整することができる。
【符号の説明】
【００２４】
９００  電子デバイス
１００  スイッチ回路
２００  電源
３００  負荷
１０  フィルタリングユニット
２０  キースイッチユニット
３０  電圧安定化ユニット
４０  制御ユニット
２２  第一ピン
２４  第二ピン
２５  第三ピン
２０２  制御端子
Ｒ１  抵抗
Ｒ２  制限抵抗
Ｒ３  第一分割抵抗
Ｒ４  第二分割抵抗
Ｃ１、Ｃ２、Ｃ３  コンデンサ
Ｄ１  ダイオード
Ｄ２  ツェナーダイオード
【図１】
2013225305.tif 000003
【図２】
2013225305.tif 000004